(57)【要約】【課題】タオル地３を構成する繊維を改良することにより、高吸水性及び柔軟性を確保すると共にタオル地３の表裏面に多色で精緻な模様を形成した昇華転写プリント繊維製品を提供する。【解決手段】タオル地３は、断面放射状に複数の突条を長さ方向に沿って設けたナイロン糸と、突条間に配設されたポリエステル糸とよりなる複合糸により、表面側と裏面側にパイルが出るように織成されて構成されている。タオル地３の表面と裏面には夫々所望の図柄が昇華転写プリントにより施されている。タオル地３の全周縁には縁飾り用レース４が縫着されている。【選択図】        図３
2004244784.tif 000002
【特許請求の範囲】
【請求項１】
吸水性を高めるために、複数の突条を長さ方向に沿って設けた合成繊維を用いて構成された繊維製品の表面に昇華転写プリントが施されてなることを特徴とする昇華転写プリント繊維製品。
【請求項２】
吸水性を高めるために、断面放射状に複数の突条を長さ方向に沿って設けた合成繊維の前記突条間に、該突条間に形成された条溝に対応する形状の合成繊維を配設してなる複合糸により構成された繊維製品の表面又は／及び裏面に昇華転写プリントが施されてなることを特徴とする昇華転写プリント繊維製品。
【発明の詳細な説明】
【０００１】
【発明の属する技術分野】
本発明は、合成繊維により織成等された織物や編物等の繊維製品の表面又は／及び裏面の全面に昇華転写プリントが施されてなる昇華転写プリント繊維製品に関し、特に繊維製品を構成する合成繊維に特徴を有する昇華転写プリント繊維製品に関する。
【０００２】
【従来の技術】
従来、この種のタオルとしてはタオル地表面の一部にのみ通常ポリエステルフィラメント（長繊維）糸が露出したフラット面に形成し、裏面は綿糸が１００％露出するようにし、前記フラット面に昇華プリントが施されたものが存在する（例えば、特開２０００−１７８８８６号公報、実用新案登録第３０５９９５０号参照）。このように、タオル地表面の一部にのみポリエステルフィラメント糸よりなるフラット面を形成し、このフラット面に対応する裏面及びタオル地表面のうちフラット面以外の部分は綿糸１００％で構成したのは、タオルの最も重要な機能の一つである吸水性を確保するためである。つまり、通常のポリエステルフィラメントは周面に突条や条溝を有さないため吸水性が極めて低く、吸水性を確保するために、昇華転写プリントを施こした部分は殆んど使用されないタオル地の端部近傍に幅狭な帯状に形成されているのが現状である。
しかしながら、上記従来例であると模様形成部位もタオルの端部に限定され、視覚に訴える部分が少なく、美観を呈しないという不具合を有していた。
本願発明者は上記不具合を解消するために、タオル地の片面全面を合成繊維を用いてフラット面に形成し、このフラット面に昇華転写プリントを施し、他方の全面は綿糸が１００％露出するようにし、タオルとしての重要な吸水機能を確保しつつ美観を呈する昇華転写プリントタオルを開発し、特許出願をした。
【０００３】
【発明が解決しようとする課題】
しかしながら、本願発明者の出願した昇華転写プリントタオルは、タオル地の表面全面のみに昇華転写プリントを施し、裏面は吸水性確保のために綿１００％を露出した構成であるので、タオル地の表面側は見て楽しむだけで吸水性が要求される手拭き等として使用することはできず、裏面側のみを手拭き等として使用していた。
本願発明は、上記諸事情に鑑みて創案されたもので、タオル等の繊維製品を構成する素材（繊維）自体を改良し、繊維製品の高吸水性及び柔軟性を確保すると共に繊維製品の表面又は／及び裏面に多色で精緻な模様を形成可能な昇華転写プリント繊維製品を提供することを目的とする。
【０００４】
【課題を解決するための手段】
上記目的を達成するために、本願発明のうち請求項１記載の発明は、吸水性を高めるために、複数の突条を長さ方向に沿って設けた合成繊維を用いて構成された繊維製品の表面に昇華転写プリントが施されてなることを特徴とする。
請求項２記載の発明は、吸水性を高めるために、断面放射状に複数の突条を長さ方向に沿って設けた合成繊維の前記突条間に、該突条間に形成された条溝に対応する形状の合成繊維を配設してなる複合糸により構成された繊維製品の表面又は／及び裏面に昇華転写プリントが施されてなることを特徴とする。
【０００５】
【発明の実施の形態】
【実施例１】
以下、図を参照にして本発明の実施例１について説明する。図１は昇華転写プリントタオルの表面図、図２は裏面図である。図１及び図２において、タオル地１は複数の突条を長さ方向に沿って設けた合成繊維をかさ高加工糸に加工し、このかさ高加工糸を用いて表裏両側方にパイルが出るように高密度に織成されている。例えば断面Ｙ形状のポリエステル糸よりなる３５番手のアクアステルス（ベルテックス株式会社の商品名）を用いて表面又は／及び裏面側にパイル２が出るようにタオル地１を織成している。タオル地１の表面には昇華転写プリントが施されている。昇華転写プリントはまずグラビア印刷若しくはオフセット印刷若しくはインクジェットによる印刷によって転写紙に分散染料を用いて色柄を印刷し、この印刷された転写紙をタオル地１の表面に貼着し、次に３０秒間２００℃の熱を加えながらプレス後、転写紙をタオル地１の表面から剥離し、タオル地１の表面に昇華転写プリントにより所望の模様を設ける。タオル地１は断面Ｙ形状のポリエステル糸で高密度に織成されているため、通常の綿糸よりなるタオル地と比較して表面がフラットであり、転写紙に印刷された図柄が鮮明にタオル地１の表面に再現できる。又、タオル地１はアクアステルス（ベルテックス株式会社の商品名）を用いて織成されているため、水は繊維の長さ方向に沿って毛細管現象により繊維間に浸透し、高吸水性及び速乾性を有し、タオルに必要不可欠な機能性を損なわない。
尚、実施例１ではアクアステルス（ベルテック株式会社の商品名）を用いて織成されたタオル地の片面に昇華転写する場合を例に説明したが、アクアステルス（ベルテック株式会社の商品名）を用いて織成されたタオル地に限定せず、周面に長さ方向に突条を有する高吸水性の合成繊維を用いたタオル地のすべてを本願発明は含む。
【０００６】
【実施例２】
図３及び図４を参照にして実施例２を説明する。タオル地３は、断面放射状に複数の突条を長さ方向に沿って設けたナイロン糸と、前記突条間に形成された条溝に配設されたポリエステル糸とよりなる複合糸により、表裏側にパイルが出るように織成されている。タオル地３は、ベリーマＸ（カネボウ合繊株式会社の商品名）を使用して織成されたコスモス（カネボウ合繊株式会社の商品名）を用いる。インクジェットによりインク出力３６０ｄＰｉでインク出力６０％の転写紙を、タオル地３の表面と裏面に個別的に当接する。次に４０秒間約１８０℃の熱を加えながらプレスする。タオル地を安定的に配置すると共に１８０℃の温度を保持するために、ゴム板上に熱伝導性の良好な金属板、例えば厚さ４ｍｍ程度の銅板を重合し、この銅板上に転写紙を載置する。転写紙上にタオル地３を重合し、タオル地３上に他の転写紙を載置し、さらにアルミ板を重合する。アルミ板を加熱及び加圧後、転写紙をタオル地３の表裏面から夫々剥離し、タオル地３の表面と裏面に昇華転写プリントによる模様を夫々設けるものである。ベリーマＸ（カネボウ合繊株式会社の商品名）はポリエステルが８５％でナイロン６が１５％の複合糸であり、ナイロン６の軟化点が１８０℃であるためプレスの際の加熱温度を１８０℃にし、タオル地３の加熱による収縮を防止する。タオル地３の全周縁には縁飾り用レース４を縫着している。
タオル地３は０．１デニールの複合糸により１平方インチ当たり２００万本以上のループ状パイルを表裏面に密生させているので柔らかく、表裏面が通常の綿タオルと比較して平坦化し、転写紙に印刷されている図柄が鮮明にタオル地３の表面と裏面に再現できる。
又、ベリーマＸ（カネボウ合繊株式会社の商品名）は表面積が広く、ナイロンとポリエステル繊維間の細長い隙間を水が毛細管現象により浸透すると共にナイロン自体が親水性を有しているため、綿タオルの２倍以上の吸水性と吸水速度を有し、タオルの吸水性機能を向上させている。
実施例２の昇華転写プリントタオルについて、耐光性、耐洗濯性、耐化学性（耐酸・耐アルカリ）、耐摩擦性の試験を行った。ＩＳＯの定める合格基準をすべて上回る試験結果を得た。
尚、実施例２はコスモス（カネボウ合繊株式会社の商品名）に昇華転写プリントにより模様を施こす場合を例に説明したが、ベリーマＸ（カネボウ合繊株式会社の商品名）を用いて平織や朱子織等の織物や、メリヤス編、ガーター編等の編物の表面又は／及び裏面に昇華転写プリントによる模様を形成しているものも本願発明に包含される。
【０００７】
【発明の効果】
本発明は繊維製品が合成繊維により構成されているため、表面と裏面の全面に夫々所望の鮮明な図柄を各面毎に施すことができるという効果がある。
又、親水性、吸水性を高めた形状の超極細の合成繊維を用いて構成される繊維製品にプリントを施しているため柔軟性、吸水性等の機能が必要不可欠な身の回り品に好適である。
【図面の簡単な説明】
【図１】昇華転写プリント繊維製品の表面図である。
【図２】昇華転写プリント繊維製品の裏面図である。
【図３】昇華転写プリント繊維製品の表面図である。
【図４】昇華転写プリント繊維製品の裏面図である。
【符号の説明】
１、３  タオル地
２  パイル
４  縁飾り用レース
【図１】
2004244784.tif 000003
【図２】
2004244784.tif 000004
【図３】
2004244784.tif 000005
【図４】
2004244784.tif 000006